(57)【特許請求の範囲】
【請求項１】
商用電源と接続され、直流電圧を生成する電源部と、
画像形成装置内の基板に設けられるデバイスと、
前記電源部が生成した直流電圧を変換して前記デバイス用の電圧を生成するとともに、出力のフィードバックに基づき過電流発生を検知する過電流保護回路を有する変換部と、
画像形成装置内の部材を回転させるモータと、前記モータの回生電流を前記デバイスに導く状態と導かない状態の切り替えを行うためのスイッチ部と、前記スイッチ部を制御するスイッチ制御部と、を有し、
前記変換部は、過電流発生を検知した場合、前記デバイスへの電力供給を停止するとともに、前記スイッチ制御部に過電流発生信号を送信し、前記スイッチ制御部は、前記過電流発生信号を受けた場合、前記スイッチ部を制御して前記モータの回生電流を前記デバイスに導くことを特徴とする画像形成装置。
【請求項２】
前記スイッチ部と前記デバイスの間に、前記モータの回生電流を蓄える蓄電部が設けられることを特徴とする請求項１記載の画像形成装置。
【請求項３】
前記蓄電部の出力側に、前記蓄電部の出力電圧を前記デバイス用の電圧に変換する電圧変換回路が設けられることを特徴とする請求項２記載の画像形成装置。
【請求項４】
前記スイッチ制御部は、前記過電流発生信号を受けるまで、前記スイッチ部を制御して、前記デバイスに前記モータの回生電流を導かない状態とし、前記過電流発生信号を受けたとき、前記スイッチ部を制御して、前記デバイスに前記モータの回生電流を導く状態とすることを特徴とする請求項１乃至３の何れか１項に記載の画像形成装置。
【請求項５】
前記スイッチ部として、前記モータと前記蓄電部間に接続される第１スイッチ部と、前記蓄電部と前記デバイス間に接続される第２スイッチ部とが設けられ、
前記過電流発生信号を受ける前、
前記スイッチ制御部は、前記第２スイッチ部を制御して、電力が前記蓄電部から前記デバイスに供給されない状態としつつ、前記第１スイッチ部を制御して、モータの回生電流が蓄電部に貯えられる状態とし、回生電流による前記蓄電部での充電完了後、前記モータと前記蓄電部とが接続されない状態とし、
前記過電流発生信号を受けたとき、
前記スイッチ制御部は、前記第２スイッチ部を制御して、電力が前記蓄電部から前記デバイスに供給される状態とすることを特徴とする請求項２又は３に記載の画像形成装置。
【請求項６】
前記デバイスは、メモリ、ＣＰＵ、ＡＳＩＣのうち１つ、又は、複数の組み合わせであることを特徴とする請求項１乃至５の何れか１項に記載の画像形成装置。
【発明の詳細な説明】
【技術分野】
【０００１】
本発明は、直流電圧の降圧等の変換を装置内で行う変換部と、回転体を回転させるモータを有する複合機、複写機、ファクシミリ、プリンタ等画像形成装置に関する。
【背景技術】
【０００２】
一般に、画像形成装置は、制御基板（制御部）を有する。そして、制御部には、ＩＣ回路、ＣＰＵ、メモリ、ＡＳＩＣ等、主として直流で動作する電子部品、素子等のデバイスが設けられる。これらのデバイスでは、駆動に要する電圧（電源電圧）が異なる場合がある（例えば、ＣＰＵは、ＤＣ３．３Ｖ、メモリはＤＣ１．８Ｖ等）。そのため、画像形成装置内で、電圧値が異なる複数種の直流電圧を生成することが求められる場合がある。そこで、複数種の直流電圧生成のため、例えば、直流電圧の変換を行うＤＣ−ＤＣコンバータが設けられることがある。
【０００３】
そして、特許文献１には、ＤＣ−ＤＣコンバータが搭載された画像形成装置が記載されている。具体的に、特許文献１には、負荷に所定の第１ＤＣ電圧の出力を供給する複数のＤＣ−ＤＣコンバータ及びＤＣ−ＤＣコンバータを選択的に負荷に接続する選択手段を有する画像形成装置用電源装置と、この画像形成装置用電源装置を搭載した画像形成装置が記載されている。この構成により、待機状態における消費電力を効果的に抑制しようとする（特許文献１：請求項１、請求項１１、段落［００３７］等参照）。
【特許文献１】特開２００４−０１２８６８
【発明の開示】
【発明が解決しようとする課題】
【０００４】
まず、ＤＣ−ＤＣコンバータは、過電流保護回路を有する等、過電流保護機能を有することがある。例えば、過電流は、短絡等に起因して生ずる。もし、過電流が変換部（電圧変換回路）やデバイスに流れると、内部の素子や回路が破壊されることがある。そこで、過電流保護回路は、変換部の許容範囲を超えるような過電流発生を検知する。更に、過電流保護回路が過電流発生を検知すると、変換部は、出力を停止する（シャットダウンする）。
【０００５】
このシャットダウンが生ずると、変換部から電力の供給を受けるデバイスは、即座に動作を停止する。ここで、例えば、シャットダウンで電力供給が停止されるデバイスが、不揮発性のメモリ（例えば、ＥＥＰＲＯＭ）である場合、記憶させておくべきデータを記憶させる前に、停止してしまう場合がある。言い換えると、シャットダウン発生時、ＥＥＰＲＯＭ等にデータを退避させ記憶させることができないという問題がある。又、例えば、ＥＥＰＲＯＭのデータ更新中にシャットダウンが生ずれば、ＥＥＰＲＯＭ内のデータの破損も生じ得るという問題もある。
【０００６】
ここで、特許文献１を見ると、過電流に関する記載は一切無い。又、特許文献１記載の電源装置には、電圧検知回路や電流検知手段が設けられ（特許文献１：段落［００２３］や［００２５］等参照）、これらにより過電流発生を検知できる可能性はある。しかし、特許文献１記載の発明は、電圧検知回路や電流検知手段で画像形成装置が作動中か、待機状態であるかを判断し、判断結果に基づき、使用するＤＣ−ＤＣコンバータが切り替えられるのみである。従って、過電流発生でＤＣ−ＤＣコンバータのシャットダウンが生じても、データを退避させることができない。即ち、上記の問題に対応できない。
【０００７】
本発明は、上記従来技術の問題点に鑑みてなされたものであり、過電流検知による変換部の出力のシャットダウンが生じても、データを退避完了まで、シャットダウンが生じた変換部から電力の供給を受けるデバイスへの給電を維持し、データの退避を確実に行うことを課題とする。
【課題を解決するための手段】
【０００８】
上記目的を達成するために、請求項１に係る画像形成装置は、商用電源と接続され、直流電圧を生成する電源部と、画像形成装置内の基板に設けられるデバイスと、前記電源部が生成した直流電圧を変換して前記デバイス用の電圧を生成するとともに、出力のフィードバックに基づき過電流発生を検知する過電流保護回路を有する変換部と、画像形成装置内の部材を回転させるモータと、前記モータの回生電流を前記デバイスに導く状態と導かない状態の切り替えを行うためのスイッチ部と、前記スイッチ部を制御するスイッチ制御部と、を有し、前記変換部は、過電流発生を検知した場合、前記デバイスへの電力供給を停止するとともに、前記スイッチ制御部に過電流発生信号を送信し、前記スイッチ制御部は、前記過電流発生信号を受けた場合、前記スイッチ部を制御して前記モータの回生電流を前記デバイスに導くこととした。
【０００９】
この構成によれば、スイッチ制御部は、過電流発生信号を受けた場合、スイッチ部を制御してモータの回生電流をデバイスに導く状態とするので、モータの回生電流に基づく電力がデバイスに供給される。これにより、変換部でシャットダウンが生じても、データを退避して、例えば、ＥＥＰＲＯＭ等の不揮発性メモリに記憶させるまで、デバイスに電力を供給し、駆動させ続けることができる。又、不揮発性メモリへの書き込み中のシャットダウンによるデータの破損も生じない。
【００１０】
又、請求項２に係る発明は、請求項１の発明において、前記スイッチ部と前記デバイスの間に、前記モータの回生電流を蓄える蓄電部が設けられることとした。この構成によれば、モータの回生電流を蓄える蓄電部を備えるので、確実にデータを退避してメモリに記憶させるまで、デバイスに電力を供給し駆動させ続けることができる。
【００１１】
又、請求項３に係る発明は、請求項２の発明において、前記蓄電部の出力側に、前記蓄電部の出力電圧を前記デバイス用の電圧に変換する電圧変換回路が設けられることとした。この構成によれば、電圧変換回路が設けられるので、モータの駆動電圧や逆起電力の大きさによらずに、変換部のシャットダウン時に、適切な電圧でデバイスへの電力供給を行うことができる。
【００１２】
又、請求項４に係る発明は、請求項１乃至３の発明において、前記スイッチ制御部は、前記過電流発生信号を受けるまで、前記スイッチ部を制御して、前記デバイスに前記モータの回生電流を導かない状態とし、前記過電流発生信号を受けたとき、前記スイッチ部を制御して、前記デバイスに前記モータの回生電流を導く状態とすることとした。
【００１３】
この構成によれば、スイッチ制御部は、過電流発生信号を受けるまで、スイッチ部を制御して、デバイスにモータの回生電流を導かない状態とし、過電流発生信号を受けたときに、スイッチ部を制御して、デバイスにモータの回生電流を導く状態とする。このように変換部がシャットダウンしたとき、モータに回生電流が生ずれば、その回生電流を送り込むことによって、デバイスに電力を供給することができる。
【００１４】
又、請求項５に係る発明は、請求項２又は３の発明において、前記スイッチ部として、前記モータと前記蓄電部間に接続される第１スイッチ部と、前記蓄電部と前記デバイス間に接続される第２スイッチ部とが設けられ、前記過電流発生信号を受ける前、前記スイッチ制御部は、前記第２スイッチ部を制御して、電力が前記蓄電部から前記デバイスに供給されない状態としつつ、前記第１スイッチ部を制御して、モータの回生電流が蓄電部に貯えられる状態とし、回生電流による前記蓄電部での充電完了後、前記モータと前記蓄電部とが接続されない状態とし、前記過電流発生信号を受けたとき、前記スイッチ制御部は、前記第２スイッチ部を制御して、電力が前記蓄電部から前記デバイスに供給される状態とすることとした。
【００１５】
この構成によれば、スイッチ部は、２種類であり、蓄電部での充電完了後、スイッチ制御部は、過電流発生信号を受けた場合、第２スイッチ部を蓄電部とデバイスとを接続する状態とする。これにより、シャットダウンが生じても、電力が蓄電部からデバイスに供給される。又、予め蓄電部にエネルギーが蓄えられるので、変換部がシャットダウンしたときのモータの駆動状態を問わず、デバイスに電力が供給される。
【００１６】
又、請求項６に係る発明は、請求項１乃至５の発明において、前記デバイスは、メモリ、ＣＰＵ、ＡＳＩＣのうち１つ、又は、複数の組み合わせであることとした。
【００１７】
この構成によれば、変換部がシャットダウンしても、データを退避してメモリに記憶させるまで、メモリ、ＣＰＵ、ＡＳＩＣ等、データの退避に必要な部品、素子を駆動させることができる。これにより、メモリ、ＣＰＵ、ＡＳＩＣ等に電力を供給する複数の変換部でシャットダウンがほぼ同時に生じても、確実に退避すべきデータをメモリに記憶させることができる。
【発明の効果】
【００１８】
この構成によれば、過電流検知によるＤＣ−ＤＣコンバータ等の変換部の出力のシャットダウンが生じても、データを退避完了まで、デバイスへの給電が維持される。これにより、データの退避が確実に行われる。
【図面の簡単な説明】
【００１９】
【図１】第１の実施形態に係る複合機の模型的正面断面図である。
【図２】第１の実施形態に係る画像形成部の一部拡大模型的断面図である。
【図３】第１の実施形態に係る複合機のハードウェア構成の一例のブロック図である。
【図４】第１の実施形態に係る複合機内での配電系統の一例を示すブロック図である。
【図５】第１の実施形態に係るＤＣ−ＤＣコンバータと回生電流の利用したＥＥＰＲＯＭの駆動ための構成の一例を示すブロック図である。
【図６】第１の実施形態の各ＤＣ−ＤＣコンバータの回路部の一例を示す回路図である。
【図７】第２の実施形態に係るＤＣ−ＤＣコンバータと回生電流を利用したＥＥＰＲＯＭ等の駆動ための構成の一例を示すブロック図である。
【図８】第３の実施形態に係るＤＣ−ＤＣコンバータと回生電流を利用したＥＥＰＲＯＭ等の駆動ための構成の一例を示すブロック図である。
【発明を実施するための形態】
【００２０】
以下、本発明の第１の実施形態を図１〜図６を参照しつつ説明する。但し、各実施の形態に記載されている構成、配置等の各要素は、発明の範囲を限定するものではなく単なる説明例にすぎない。
【００２１】
（複合機１００の構成）
まず、図１及び図２を用い、第１の実施形態に係る複合機１００（画像形成装置に相当）の概略を説明する。図１は、本発明の第１の実施形態に係る複合機１００の模型的正面断面図である。図２は、本発明の第１の実施形態に係る画像形成部２の一部拡大模型的断面図である。
【００２２】
図１に示すように、複合機１００の最上部に、原稿を押さえる原稿カバー１０１が設けられ、その下方に、入力デバイスとして原稿を読み取り、原稿の画像データを出力する画像読取部１０２が配される。又、複合機１００の内部には、給紙部１ａ、搬送路１ｂ、シアン、マゼンタ、イエロー、ブラックのトナーを用いてトナー像を形成する画像形成部２、中間転写部３ａ、定着部３ｂ等が配される。
【００２３】
尚、複合機１００の正面前方には、複合機１００の動作開始を指示するためのスタートキー１ｃや、タッチパネル式の液晶表示部１ｄを有する操作パネル１ｅが設けられる（図１に破線で図示）。例えば、操作パネル１ｅは、使用者の設定指示を受け付け、複合機１００の状態などの情報伝達の表示を行う。又、複合機１００の使用者や、メンテナンスを行うサービスマンは、操作パネル１ｅを操作し、複合機１００に関する各種設定を行える。
【００２４】
給紙部１ａは、記録媒体として普通紙、再生紙、ラベル用紙、ＯＨＰシート等の各種用紙（Ａ４、Ｂ４等の各サイズの用紙に対応）を収納し、画像形成の際、用紙を供給する。又、給紙部１ａには、給紙モータＭ１ａ（モータに相当、図３参照）で駆動する給紙ローラ１０が設けられ、給紙ローラ１０の回転により、用紙が１枚ずつ供給される。搬送路１ｂは、供給された用紙を排出トレイ１１まで搬送する。そのため、搬送路１ｂには、搬送ローラ対１２等が複数設けられる。各搬送ローラ対１２（１２ａ〜１２ｃ）は、例えば、搬送モータＭ１ｂ（モータに相当、図３参照）によって回転駆動する。
【００２５】
次に、図１及び図２に基づき、本発明の実施形態に係る複合機１００の画像形成部２を説明する。画像形成部２は、画像データに基づき記録媒体に印刷を行うため画像（トナー像）を形成する。そして、画像形成部２は、図１に示すように、４つの画像形成ユニット２０Ｋ（ブラック）、２０Ｙ（イエロー）、２０Ｃ（シアン）、２０Ｍ（マゼンタ）と、画像データに基づき、帯電後の感光体ドラム２１の走査・露光を行って、静電潜像を形成する露光装置２２等で構成される。
【００２６】
このように、本実施形態の複合機１００は、複数色のトナーを用いてカラー画像を形成可能である。尚、各画像形成ユニット２０は、使用するトナーの色が異なるが、基本的構成は同様であるので、以下の説明では、１つの画像形成ユニット２０を抽出して説明し、特に説明する場合を除き、各画像形成ユニット２０についてＫ、Ｙ、Ｃ、Ｍの記号は省略する。
【００２７】
そして、図２に示すように、各画像形成ユニット２０は、同図中に示す矢印方向に回転可能に支持され、メインモータＭ２（モータに相当、図３参照）等により、所定の方向に回転駆動される像担持体としての感光体ドラム２１を備える。又、感光体ドラム２１の周囲には、帯電装置２３、現像装置２４、清掃装置２５などが配される。
【００２８】
帯電装置２３は、感光体ドラム２１の表面を帯電させる。露光装置２２は、帯電後の感光体ドラム２１表面を画像データにあわせ走査・露光し、静電潜像を形成する。そして、現像装置２４は、トナーを担持し、トナーを感光体ドラム２１に飛翔させるため、所定の電圧（現像バイアス）が印加される現像ローラ２４ａを備える。現像装置２４は静電潜像にトナーを供給してトナー像を現像する（可視像化する）。清掃装置２５は、感光体ドラム２１の表面を清掃する。これらの構成により、トナー像が各感光体ドラム２１の周面に形成され、トナー像は、中間転写部３ａに１次転写される。尚、現像装置２４には、トナー補給用のコンテナ２４ｂが補給管２４ｃにより接続される。
【００２９】
図１に戻り、説明を続ける。中間転写部３ａは、画像形成部２の上方に設けられる。中間転写部３ａは、画像形成部２が形成したトナー像の１次転写を受け、用紙に２次転写を行う。そして、中間転写ベルト３１は、下側の外周面と各感光体ドラム２１が当接するように、駆動ローラ３２、従動ローラ３３、４本の１次転写ローラ３４等に張架される。駆動ローラ３２には駆動モータＭ３ａ（モータに相当、図３参照）、ギア等の駆動手段（不図示）が接続される。中間転写ベルト３１は、この駆動ローラ３２の回転で図１において時計方向（矢印方向）に周回する。ここで、各１次転写ローラ３４は、各感光体ドラム２１に対向して１本ずつ回転可能に配される。又、各１次転写ローラ３４に所定の大きさの電圧（転写バイアス）が印加される。電圧印加により、各色のトナー像が各感光体ドラム２１から中間転写ベルト３１に１次転写される。この１次転写の際、各色のトナー像はずれなく重ね合わせられる。
【００３０】
そして、中間転写ベルト３１に当接し、駆動ローラ３２に対向し、回転可能に支持される２次転写ローラ３５が中間転写部３ａに設けられる。２次転写ローラ３５と中間転写ベルト３１のニップに用紙とトナー像が進入した際、所定の電圧（転写バイアス）が２次転写ローラ３５に印加され、トナー像は用紙に２次転写される。ベルトクリーニング装置３６は、残トナー等を中間転写ベルト３１から除去し、清掃する。
【００３１】
定着部３ｂは、用紙に転写されたトナー像を定着させる。用紙は、定着部３ｂの加熱ローラ３７と加圧ローラ３８のニップを通過する際に加圧・加熱され、トナー像が用紙に定着する。尚、加熱ローラ３７と加圧ローラ３８は、定着モータＭ３ｂ（モータに相当、図３参照）からの駆動力を受けて回転する。その後、用紙は排出トレイ１１に排出され、画像形成が完了する。
【００３２】
（複合機１００のハードウェア構成）
次に、図３に基づき本発明の第１の実施形態に係る複合機１００のハードウェア構成を説明する。図３は、本発明の第１の実施形態に係る複合機１００のハードウェア構成の一例を示すブロック図である。
【００３３】
図３に示すように、本実施形態に係る複合機１００は、内部に制御部４を有する。制御部４は、複数の電子部品や素子が取り付けられた基板として構成される。尚、図３では、制御部４は１つとして図示するが、制御部４は、制御や画像処理を行うメイン制御部と、各種回転体を回転させるモータＭ等のＯＮ／ＯＦＦ等を制御するエンジン制御部等、機能ごとに分割して複数種設けられてもよい。
【００３４】
そして、制御部４は、画像形成部２や中間転写部３ａ等を制御し、複合機１００全体の制御を司る。例えば、制御部４は、ＣＰＵ４１（デバイスに相当）、記憶部４２、ＡＳＩＣ４３（デバイスに相当）等から構成される。即ち、画像形成装置内の基板（制御基板）には、デバイスが設けられる。ＣＰＵ４１は、中央演算処理装置であり、記憶部４２に格納され、展開される制御プログラムに基づき複合機１００の各部の制御や演算を行う。
【００３５】
記憶部４２は、例えば、ＥＥＰＲＯＭ４４（Electrically Erasable PROM、デバイスに相当）、ＲＡＭ４５（Random Access Memory、デバイスに相当）、ＨＤＤ４６（Hard disk drive、デバイスに相当）、フラッシュＲＯＭ４７（デバイスに相当）等の半導体や磁気の揮発性と不揮発性の記憶装置を組み合わせで構成される。記憶部４２は複合機１００の制御用プログラム、制御用データ、設定データ、画像読取部１０２で読み取られた画像データ等を記憶できる。
【００３６】
具体的に、例えば、不揮発性のＥＥＰＲＯＭ４４は、印刷枚数や、印刷においてトナーをのせたドット数等のカウント値を色ごとに記憶し、又、更新する。例えば、感光体ドラム２１や現像装置２４や定着部３ｂは、使用による摩耗等で性能が低下する場合がある（例えば、濃度の低下等）。そこで、感光体ドラム２１等は、寿命が設定される。寿命に到達したか否かは、使用を開始してからの累計印刷枚数によって判断される（例えば、数万枚）。この寿命到達を知る上での各色、各部材に対しての累計印刷枚数をＥＥＰＲＯＭ４４は記憶する。例えば、白黒印刷がなされた場合、ブラックの画像形成ユニット２０Ｋの感光体ドラム２１や現像装置２４の累計印刷枚数がカウントアップされる。一方、例えば、フルカラー印刷がなされた場合、全ての画像形成ユニット２０の感光体ドラム２１や現像装置２４の累計印刷枚数がカウントアップされる。
【００３７】
又、ドットのカウント値は、補給用のトナーを収容するコンテナ２４ｂでのトナー切れ検知のために用いられることがある。ドットにトナーをのせれば、トナーが消費される。例えば、１ドット当たりのトナー消費量の目安を定め、コンテナ２４ｂに収容されるトナー量を目安で割れば、コンテナ２４ｂを装着してからの印刷可能なドット数が求められる。そして、印刷可能なドット数までカウントしたとき、制御部４は、コンテナ２４ｂがトナー切れであると判断する。そして、例えば、制御部４は、操作パネル１ｅにコンテナ２４ｂ交換の必要性を示す表示を行わせる。尚、例えば、ＣＰＵ４１や、後述のＡＳＩＣ４３が、１ページ当たりのドットのカウント値を求めればよい。
【００３８】
ＡＳＩＣ４３（Application Specific Integrated Circuit）は、例えば、濃度変換や拡大縮小処理等、画像データに関する演算や処理に関する複数機能の回路をまとめた集積回路である。尚、ＡＳＩＣ４３は、１つとは限らず、複数搭載されても良く、又、画像処理用のものに限らず、例えば、モータ制御等、他の用途のものでも良い。
【００３９】
そして、制御部４は、画像読取部１０２、給紙部１ａ、搬送路１ｂ、画像形成部２、中間転写部３ａ、定着部３ｂ、操作パネル１ｅ等と接続され、記憶部４２の制御プログラムやデータに基づき、例えば、各モータＭの動作等、各部の動作を制御する。又、制御部４は、例えば、コピーに関する設定等の操作パネル１ｅへの入力内容を把握する。
【００４０】
又、制御部４には、Ｉ／Ｆ部４８（インターフェイス部）が装着又は接続される。複合機１００は、このＩ／Ｆ部４８を利用し、ネットワーク等で、外部のコンピュータ２００（例えば、パーソナルコンピュータ）と通信可能に接続される。これにより、複合機１００は、外部のコンピュータ２００から画像データや印刷設定データの送信を受け、印刷を行える（プリンタ機能）。又、画像読取部１０２で得られた結果に基づく画像データを外部のコンピュータ２００に向けて送信することもできる（スキャン機能）。又、Ｉ／Ｆ部４８にモデム機能を含め、公衆回線等を通じ、相手方ＦＡＸ装置３００とのデータの送受信や、受信データに基づき印刷することもできる（ＦＡＸ機能）。
【００４１】
（配電系統）
次に、図４に基づき、本発明の第１の実施形態に係る複合機１００内での配電系統の一例を説明する。図４は、本発明の第１の実施形態に係る複合機１００内での配電系統の一例を示すブロック図である。
【００４２】
図４に示すように、電源部４９が本実施形態の複合機１００に搭載される。電源部４９は、例えば、商用電源に接続され電力の供給を受ける。そして、電源部４９は交流から直流への整流、平滑、降圧等を行い、複数種の直流電圧を生成する（例えば、ＤＣ２４ＶとＤＣ５Ｖ）。即ち、電源部４９は、商用電源と接続され、直流電圧を生成する。
【００４３】
電源部４９は、例えば、各モータＭへの供給用として、ＤＣ２４Ｖを生成する。本実施形態のメインモータＭ２等の各モータＭには、例えば、ブラシレスＤＣモータを用いることができるところ、例えば、電源部４９は、各モータＭにＤＣ２４Ｖで電力を供給する。
【００４４】
ここで、近年、ＣＰＵ４１、ＡＳＩＣ４３やメモリの高速化や、省電力化、熱対策等の観点から、素子の駆動電圧は、低電圧化されつつある。例えば、メモリでの駆動電圧を下げると、メモリ内での信号の立ち上がり、立ち下がりに要する時間が短くなり、高速化が図れる場合がある。このような背景から、例えば、制御部４内のＣＰＵ４１、ＡＳＩＣ４３、ＥＥＰＲＯＭ４４、ＲＡＭ４５、フラッシュＲＯＭ４７、ＨＤＤ４６でそれぞれ、供給すべき駆動電圧（電源電圧）が異なる場合がある。言い換えると、制御部４の制御基板には、複数種の直流電圧を供給すべき場合がある（例えば、ＤＣ３．３Ｖ、ＤＣ２．５Ｖ、ＤＣ１．８Ｖ、ＤＣ１．２Ｖ等）。
【００４５】
そこで、本実施形態の複合機１００では、電源部４９は、例えば、ＤＣ５Ｖを生成する。そして、ＣＰＵ４１、ＡＳＩＣ４３、ＥＥＰＲＯＭ４４、ＲＡＭ４５、フラッシュＲＯＭ４７との間に、それぞれＤＣ−ＤＣコンバータ６（ＤＣ−ＤＣコンバータ６Ａ〜６Ｅ、変換部に相当）を設け、各ＤＣ−ＤＣコンバータ６が各素子用の駆動電圧（電源電圧）を生成する。
【００４６】
例えば、ＥＥＰＲＯＭ４４の電源としてのＤＣ−ＤＣコンバータ６Ａは、ＤＣ５Ｖを降圧し、ＥＥＰＲＯＭ４４用の直流電圧Ｖ１（例えば、ＤＣ１．８Ｖ等）を生成する。又、ＣＰＵ４１用の電源としてのＤＣ−ＤＣコンバータ６Ｂは、ＤＣ５Ｖを降圧し、ＣＰＵ４１用の直流電圧Ｖ２（例えば、ＤＣ３．３ＶやＤＣ２．５Ｖ等）を生成する。又、ＡＳＩＣ４３用の電源としてのＤＣ−ＤＣコンバータ６Ｃは、ＤＣ５Ｖを降圧し、ＡＳＩＣ４３用の直流電圧Ｖ３（例えば、ＤＣ３．３ＶやＤＣ２．５Ｖ等）を生成する。又、ＲＡＭ４５用の電源としてのＤＣ−ＤＣコンバータ６Ｄは、ＤＣ５Ｖを降圧し、ＲＡＭ４５用の直流電圧Ｖ４（例えば、ＤＣ１．８ＶやＤＣ１．５Ｖ等）を生成する。又、フラッシュＲＯＭ４７用の電源としてのＤＣ−ＤＣコンバータ６Ｅは、ＤＣ５Ｖを降圧して、フラッシュＲＯＭ４７用の直流電圧Ｖ５（例えば、ＤＣ２．５ＶやＤＣ３．３Ｖ等）を生成する。
【００４７】
尚、例えば、ＨＤＤ４６には、５Ｖの直流電圧をそのまま供給するように、各部品に対してそのまま５Ｖを供給して良い場合は、ＤＣ−ＤＣコンバータ６は設けなくても良い。又、例えば、ＤＣ−ＤＣコンバータ６が生成する電圧が、ＥＥＰＲＯＭ４４にもＲＡＭ４５にも供給できる場合など、１つのＤＣ−ＤＣコンバータ６が複数の部品に電圧を供給できれば、図４に示す例よりもＤＣ−ＤＣコンバータ６の設置数を減らしても良い。又、図４では、各ＤＣ−ＤＣコンバータ６Ａ〜６Ｅは、制御部４とは別として示しているが、各ＤＣ−ＤＣコンバータ６Ａ〜６Ｅは、制御部４が搭載された基板上に設けられても良い。
【００４８】
（変換部の構成と基本的な動作）
次に、図５、図６に基づき、本発明の第１の実施形態に係る変換部としてのＤＣ−ＤＣコンバータ６の構成と基本的な動作の一例を説明する。図５は、本発明の第１の実施形態に係るＤＣ−ＤＣコンバータ６Ａと回生電流の利用したＥＥＰＲＯＭ４４の駆動ための構成の一例を示すブロック図である。図６は、本発明の第１の実施形態に係る各ＤＣ−ＤＣコンバータ６の回路部６２の一例を示す回路図である。尚、本実施形態の各ＤＣ−ＤＣコンバータ６（６Ａ〜６Ｅ）は、出力電圧は異なるが、構成としては同様でよい。そこで、本説明ではＤＣ−ＤＣコンバータ６Ａを例に挙げ説明する。尚、ＤＣ−ＤＣコンバータ６Ｂ〜６ＥもＤＣ−ＤＣコンバータ６Ａの説明を適用できる。
【００４９】
まず、図５に示すように、本実施形態のＤＣ−ＤＣコンバータ６Ａには、コントローラ６１と回路部６２が設けられる。図６に示すように、回路部６２は、例えば、半導体スイッチとしてのＦＥＴ６３（トランジスタでもよい）、コイル６４、コンデンサ６５、ダイオード６７等で構成される。回路部６２のＦＥＴ６３のＯＮ／ＯＦＦタイミングを制御する（デューティ比を制御する）ことで、所望の電圧が出力される。例えば、本説明では、ＤＣ−ＤＣコンバータ６ＡはＥＥＰＲＯＭ４４に接続され、ＤＣ−ＤＣコンバータ６の回路部６２の出力電圧Ｖ１は、ＤＣ１．８Ｖである。
【００５０】
コントローラ６１は、まず、回路部６２のＦＥＴ６３のスイッチングを行う。又、コントローラ６１に、ＤＣ−ＤＣコンバータ６Ａの出力のフィードバックが入力される。そして、コントローラ６１は、フィードバックに基づき、ＦＥＴ６３のＯＮ／ＯＦＦにおけるデューティ比を制御して、ＤＣ−ＤＣコンバータ６Ａの出力電圧がほぼ一定となるように制御する。
【００５１】
又、コントローラ６１には、過電流保護回路６６が設けられる。過電流は、例えば、短絡した際に流れる。そして、過電流が流れると、ＤＣ−ＤＣコンバータ６Ａの回路部６２やＥＥＰＲＯＭ４４を破損してしまう場合がある。そこで、コントローラ６１の過電流保護回路６６は、例えば、電流を電圧に変換するなどして、過電流の発生を検知する。そして、過電流の発生が検知されると、コントローラ６１は、ＦＥＴ６３をＯＦＦし、強制的にＤＣ−ＤＣコンバータ６Ａの出力を停止させる。即ち、ＤＣ−ＤＣコンバータ６（変換部）は、電源部４９が生成した直流電圧を変換してデバイス用の電圧を生成するとともに、出力のフィードバックに基づき過電流発生を検知する過電流保護回路６６を有する。又、過電流保護回路６６は、過電流検知したとき、後述のスイッチ制御部８に向けて過電流が発生した旨の過電流発生信号Ｓ１を送信する。
【００５２】
（回生電流の利用）
次に、図５を利用して、モータＭの回生電流を利用したＥＥＰＲＯＭ４４の駆動の一例を説明する。
【００５３】
過電流検知でＤＣ−ＤＣコンバータ６Ａが停止すると、ＥＥＰＲＯＭ４４への電力供給が停止される。そうすると、ＥＥＰＲＯＭ４４も動作を停止してしまう。又、ＥＥＰＲＯＭ４４が停止すれば、ＣＰＵ４１等もエラー発生として停止しかねない。そうすると、各色、各部材に対しての累計印刷枚数や、ドットのカウント値等の継続的な更新がなされ、退避すべきデータをＥＥＰＲＯＭ４４に記憶させることができなくなる。
【００５４】
そこで、本実施形態の複合機１００では、ＤＣ−ＤＣコンバータ６６が停止した場合、モータＭの回生電流をＥＥＰＲＯＭ４４に供給する。これにより、各色、各部材に対しての累計印刷枚数や、ドットのカウント値等のシャットダウン時でも記憶させるべきデータをＥＥＰＲＯＭ４４に記憶させるまで、ＥＥＰＲＯＭ４４に電力を供給する。
【００５５】
モータＭとしては、上述の給紙部１ａの給紙モータＭ１ａ、搬送路１ｂの搬送モータＭ１ｂ、画像形成部２のメインモータＭ２、中間転写部３ａの駆動モータＭ３ａ、定着部３ｂの定着モータＭ３ｂのいずれでも良い。そこで、以下では、単に「モータＭ」と称して説明する。即ち、モータＭは、画像形成装置（複合機１００）内の部材を回転させるものである。
【００５６】
そして、モータＭに対しては、例えば、電源部４９に接続され、２４Ｖの供給を受けモータＭのＯＮ／ＯＦＦを制御するドライバＩＣ５１が設けられる。このドライバＩＣ５１は、制御部４の指示を受け、印刷時にモータＭを回転させる。ここで、モータＭには、コイルが含まれるので、モータＭを停止させた際（電力供給を停止させた際）、発電機として機能し回生電流が生ずる。この回生電流を利用してＥＥＰＲＯＭ４４に電力を供給する。
【００５７】
まず、スイッチ部７Ａは、３端子を有し、入力端子は、ダイオード５２を経てモータＭと接続される。又、スイッチ部７Ａの２つの出力端子のうち、一方には、蓄電機能を有する蓄電部５が他方には、例えば、ドライバＩＣ５１が接続される。このスイッチ部７Ａを制御するため、スイッチ部７Ａと接続されるスイッチ制御部８（例えば、スイッチ部制御用のドライバやチップ）が設けられる。
【００５８】
スイッチ制御部８は、過電流発生信号Ｓ１を受けるまで、スイッチ部７Ａを制御し、モータＭとドライバＩＣ５１を接続する（図５において破線で図示）。この時、ダイオード５２は、フライホイールダイオードとして機能する。一方、スイッチ制御部８は、過電流発生信号Ｓ１を受けると、瞬時に、モータＭからの回生電流が蓄電部５に流れ込むように、スイッチ部７Ａを動作させる（図５において、実線で図示、又、モータＭの回生電流の利用経路を２点鎖線で図示）。即ち、スイッチ部７Ａは、モータＭとデバイス間に設けられ、モータＭの回生電流をデバイスに導く状態と導かない状態の切り替えを行うためのものである。又、スイッチ制御部８は、スイッチ部７Ａを制御する。更に、変換部（例えば、ＤＣ−ＤＣコンバータ６Ａ）は、過電流発生を検知した場合、デバイスへの電力供給を停止するとともに、スイッチ制御部８に過電流発生信号Ｓ１を送信し、スイッチ制御部８は、過電流発生信号Ｓ１を受けた場合、スイッチ部７Ａを制御してモータＭの回生電流をデバイス（ＥＥＰＲＯＭ４４）に導く。
【００５９】
より具体的には、スイッチ制御部８は、過電流発生信号Ｓ１を受けるまで、スイッチ部７Ａを制御して、デバイスにモータＭの回生電流を導かない状態とし、過電流発生信号Ｓ１を受けたとき、スイッチ部７Ａを制御して、デバイスにモータＭの回生電流を導く状態とする。
【００６０】
例えば、印刷ジョブの実行中や完了直後、累計印刷枚数やドットのカウント値をＥＥＰＲＯＭ４４に更新して記憶させる場合がある。例えば、ジョブの完了直後は、モータＭがまもなく停止するといったタイミングである。そのため、シャットダウンによってＤＣ−ＤＣコンバータ６Ａが停止したときに、モータＭを停止させても大きな不都合は生じない場合もある。そこで、図５に示すように、過電流発生信号Ｓ１を受けたため、モータＭを停止させる指示（モータ停止信号Ｓ２）をドライバＩＣ５１に与え、スイッチ制御部８とドライバＩＣ５１を接続する信号線Ｌ１を設けても良い。例えば、ドライバＩＣ５１は、モータ停止信号Ｓ２を受けると、即座にモータＭを停止させる。
【００６１】
モータＭの回生電流を蓄える蓄電部５は、スイッチ部７Ａとデバイス（ＥＥＰＲＯＭ４４）の間に設けられる。蓄電部５には、例えば、スーパキャパシタを用いることができる。又、ＥＥＰＲＯＭ４４に印加する直流電圧の平滑化も期待できる。尚、蓄電部は蓄電機能があればよい。尚、蓄電部５を設けなくても、モータＭの回生電流だけでデータの退避完了まで、ＥＥＰＲＯＭ４４等を駆動させることができれば、蓄電部５を省いた構成としてもよい。
【００６２】
そして、蓄電部５には、電圧変換回路９Ａ（例えば、３端子レギュレータ）が接続される。即ち、蓄電部５の出力電圧をデバイス用（ＥＥＰＲＯＭ４４用）の電圧に変換する電圧変換回路９Ａは、蓄電部５の出力側（デバイス側）に設けられる（電圧変換回路９Ａは、デバイスと蓄電部５に接続される）。これにより、例えば、ＥＥＰＲＯＭ４４は、モータＭの回生電流に基づく電力の供給を受け、少なくとも、シャットダウン時でも記憶させるべきデータをＥＥＰＲＯＭ４４に記憶させるまでの時間（例えば、数ミリ秒）駆動できる。
【００６３】
このようにして、第１の実施形態によれば、過電流発生によって、スイッチ制御部８は、過電流発生信号Ｓ１を受けた場合、スイッチ部７Ａを制御してモータＭの回生電流をデバイスに導く状態とするので、モータＭの回生電流に基づく電力がデバイス（例えば、ＥＥＰＲＯＭ４４）に供給される。これにより、変換部（例えば、ＤＣ−ＤＣコンバータ６Ａ）でシャットダウンが生じても、データを退避して、例えば、ＥＥＰＲＯＭ４４等の不揮発性メモリに記憶させるまで、デバイスに電力を供給し、駆動させ続けることができる。又、不揮発性メモリへの書き込み中のシャットダウンによるデータの破損も生じない。
【００６４】
又、モータＭの回生電流を蓄える蓄電部５を備えるので、確実に、データを退避してメモリに記憶させるまで、デバイスに電力を供給し、駆動させ続けることができる。又、電圧変換回路９が設けられるので、モータＭの駆動電圧や逆起電力の大きさによらずに、変換部（例えば、ＤＣ−ＤＣコンバータ６）のシャットダウン時に、適切な電圧でデバイスへの電力供給を行うことができる。又、スイッチ制御部８は、過電流発生信号Ｓ１を受けるまで、スイッチ部７Ａを、デバイスにモータＭの回生電流を導かない状態とし、過電流発生信号Ｓ１を受けたとき、スイッチ部７Ａを、デバイスにモータＭの回生電流を導く状態とするので、変換部がシャットダウンしたとき、モータＭに回生電流が生ずれば、その回生電流を送り込むことによって、デバイスに電力を供給することができる。
【００６５】
（第２の実施形態）
次に、図７に基づき、第２の実施形態を説明する。図７は、本発明の第２の実施形態に係るＤＣ−ＤＣコンバータ６と回生電流を利用したＥＥＰＲＯＭ４４等の駆動ための構成の一例を示すブロック図である。第１の実施形態では、モータＭの回生電流に基づき、ＥＥＰＲＯＭ４４にのみ電力を供給する例を示した。本実施形態では、ＥＥＰＲＯＭ４４以外の制御部４（制御基板上）の部品、素子に、回生電流に基づき、電力の供給を行う場合を説明する。尚、他の点については、第１の実施形態に示した複合機１００と同様の構成でよく、共通する部分については説明、図示を省略し、同じ符号を付す。
【００６６】
例えば、短絡等により、複数のＤＣ−ＤＣコンバータ６で同時に過電流が検知され、複数のＤＣ−ＤＣコンバータ６がほぼ同時に停止してしまう場合もあり得る。このとき、例えば、ＣＰＵ４１とＲＡＭ４５とＥＥＰＲＯＭ４４など、複数の部品、素子で同時に電力供給が停止されれば、尚更のこと、各色、各部材の累計印刷枚数や、ドットのカウント値等のシャットダウン時でも記憶させるべきデータをＥＥＰＲＯＭ４４に記憶させておくことが難しくなる。
【００６７】
そこで、本実施形態では、ＥＥＰＲＯＭ４４に対してだけではなく、例えば、ＣＰＵ４１、ＡＳＩＣ４３、ＲＡＭ４５、フラッシュＲＯＭ４７といった、制御部４（制御基板）の複数の部品にモータＭの回生電流に基づき電力を供給する。具体的に、ＣＰＵ４１、ＡＳＩＣ４３、ＲＡＭ４５、フラッシュＲＯＭ４７と蓄電部５との間に電圧変換回路９Ｂ〜９Ｅ（例えば、３端子レギュレータ）を設け、ＣＰＵ４１、ＡＳＩＣ４３、ＲＡＭ４５、フラッシュＲＯＭ４７用の適切な電圧にした上で、ＣＰＵ４１等に電力が供給される。即ち、モータＭから回生電流に基づく電力が供給されるデバイスは、メモリ、ＣＰＵ４１、ＡＳＩＣ４３等のうち１つ、又は、複数の組み合わせといえる。
【００６８】
これにより、短絡等の過電流で、複数のＤＣ−ＤＣコンバータ６（６Ａ〜６Ｅ）からの電力供給が停止されても、的確に、各色、各部材の累計印刷枚数や、ドットのカウント値をＥＥＰＲＯＭ４４に記憶させて退避することができる。
【００６９】
このようにして、第２の実施形態によれば、第１の実施形態の効果に加え、複数の変換部（ＤＣ−ＤＣコンバータ６Ａ等）が同時にシャットダウンしても、データを退避してメモリに記憶させるまで、メモリ、ＣＰＵ４１、ＡＳＩＣ４３等、データの退避に必要な部品、素子を駆動させることができる。これにより、メモリ、ＣＰＵ４１、ＡＳＩＣ４３等に電力を供給する複数の変換部でシャットダウンがほぼ同時に生じても、確実に退避すべきデータをメモリに記憶させることができる。
【００７０】
（第３の実施形態）
次に、図８に基づき、第３の実施形態を説明する。図８は、本発明の第３の実施形態に係るＤＣ−ＤＣコンバータ６と回生電流を利用したＥＥＰＲＯＭ４４等の駆動ための構成の一例を示すブロック図である。
【００７１】
尚、第１の実施形態では、モータＭの回生電流に基づき、ＥＥＰＲＯＭ４４にのみ電力を供給する例を示した。第２の実施形態では、モータＭの回生電流に基づき、ＥＥＰＲＯＭ４４以外の部品、素子にも電力を供給できる例を示した。そして、本実施形態では、モータＭの回生電流を予め蓄電部５にエネルギーとして貯めておき、ＤＣ−ＤＣコンバータ６Ａ等が停止した際に、エネルギーを開放し、ＥＥＰＲＯＭ４４等に電力を供給する例を示す。尚、他の点については、第１、第２の実施形態に示した複合機１００と同様の構成でよく、共通する部分については説明、図示を省略し、同じ符号を付す。
【００７２】
まず、本実施形態では、例えば、モータＭと蓄電部５間にスイッチ部７Ａ（第１スイッチ部に相当）を設け、蓄電部５と電圧変換回路９Ａ間（ＥＥＰＲＯＭ４４間でも良い）にスイッチ部７Ｂ（第２スイッチ部に相当）を設ける（計２つ）。尚、スイッチ部７Ｂは、開閉動作を行えればよいので、半導体スイッチ（例えば、ＦＥＴ）を用いることができる。
【００７３】
そして、スイッチ制御部８は、例えば、主電源投入してから最初のジョブ実行によってモータＭを停止させた際、まず、スイッチ部７Ａを、実線に示す位置とする。これにより、回生電流が蓄電部５に貯えられる。尚、スイッチ制御部８は、スイッチ部７Ｂは、開いた状態（破線で示す。導通させない状態）としておく。
【００７４】
又、蓄電部５に回生電流が蓄えられた後（充電された後）、スイッチ制御部８は、スイッチ部７Ａを制御して、モータＭと蓄電部５の接続を解き、例えば、モータＭとドライバＩＣ５１とが接続された状態とする。一方、スイッチ制御部８は、スイッチ部７Ｂは、開いた状態（破線で示す導通させない状態）のままとする。これにより、蓄電部５にエネルギーが貯えられた状態で維持される。
【００７５】
尚、モータＭを停止させてから蓄電部５が十分に充電されるまでの時間（充電時間）は、用いる蓄電部５の容量とモータＭの逆起電力により異なるが、予め実験等により把握することができる。そして、例えば、ドライバＩＣ５１から、例えば、スイッチ制御部８にモータＭをＯＦＦしたことを伝える信号を入力する（モータＯＦＦ信号Ｓ３）。スイッチ制御部８は、タイマ機能を有し、モータＯＦＦ信号Ｓ３を受けた後、充電時間を計り、モータＯＦＦ信号Ｓ３を受けてから、充電時間経過後に、モータＭと蓄電部５の接続を解く。
【００７６】
そして、スイッチ制御部８は、過電流保護回路６６から過電流発生信号Ｓ１を受けると、スイッチ部７Ｂを閉じさせ、蓄電部５に貯えられたエネルギーを電圧変換回路９Ａに流れ込ませる。これにより、過電流発生によって、ＤＣ−ＤＣコンバータ６Ａが停止しても、累計印刷枚数等のデータを記憶させるまでＥＥＰＲＯＭ４４を動作させることができる。
【００７７】
即ち、スイッチ部７として、モータＭと蓄電部５間に接続される第１スイッチ部７（スイッチ部７Ａ）と、蓄電部５とデバイス間に接続される第２スイッチ部７（スイッチ部７Ｂ）とが設けられ、過電流発生信号Ｓ１をスイッチ制御部８が受ける前、スイッチ制御部８は、第２スイッチ部７（スイッチ部７Ｂ）を制御して、電力が蓄電部５からデバイス（例えば、ＥＥＰＲＯＭ４４）に供給されない状態としつつ、第１スイッチ部７（スイッチ部７Ａ）を制御して、モータＭの回生電流が蓄電部５に貯えられる状態とし、回生電流による蓄電部５での充電完了後、モータＭと蓄電部５とが接続されない状態とし、過電流発生信号Ｓ１をスイッチ制御部８が受けたとき、スイッチ制御部８は、第２スイッチ部７（スイッチ部７Ｂ）を制御して、電力が蓄電部５からデバイス（例えば、ＥＥＰＲＯＭ４４）に供給される状態とする。
【００７８】
尚、図８に示すように、第２の実施形態と同様、スイッチ部７Ｂと電圧変換回路９Ａの間には、ＥＥＰＲＯＭ４４用の電圧変換回路９Ａの他、ＣＰＵ４１用等の電圧変換回路９Ｂ〜９Ｅを接続しても良い。これにより、より確実に、累計印刷枚数等のシャットダウン時でも記憶させるべきデータを記憶させるまでＥＥＰＲＯＭ４４を動作させることができる。
【００７９】
このようにして、第３の実施形態によれば、第１及び第２の実施形態による効果に加えて、スイッチ部７は、２種類であり、蓄電部５での充電完了後、スイッチ制御部８は、過電流発生信号Ｓ１を受けた場合、第２スイッチ部７（スイッチ部７Ｂ）を蓄電部５とデバイスとを接続する状態とする。これにより、シャットダウンが生じても、電力が蓄電部５からデバイスに供給される。又、予め蓄電部５にエネルギーが蓄えられるので、変換部（例えば、ＤＣ−ＤＣコンバータ６Ａ）がシャットダウンしたときのモータＭの駆動状態を問わず、デバイス（ＥＥＰＲＯＭ４４等）に電力が供給される。
【００８０】
次に、他の実施形態を説明する。上記の実施形態では、ＥＥＰＲＯＭ４４とこれに接続されるＤＣ−ＤＣコンバータ６Ａに対して、スイッチ部７Ａやスイッチ部７Ｂ、スイッチ制御部８、蓄電部５を設ける例を示した。しかし、ＣＰＵ４１、ＡＳＩＣ４３、ＲＡＭ４５、フラッシュＲＯＭ４７等の制御部４の各デバイスと、ＥＥＰＲＯＭ４４の駆動電圧（電源電圧）と異なる電圧を生成するＤＣ−ＤＣコンバータ６Ｂ〜６Ｅのそれぞれに対して、スイッチ部７Ａやスイッチ部７Ｂ、スイッチ制御部８、蓄電部５を設けてもよい。これにより、例えば、ＥＥＰＲＯＭ４４への記憶、更新にＣＰＵ４１による制御が必要な場合、ＣＰＵ４１に電力を供給するＤＣ−ＤＣコンバータ６Ｂでシャットダウンが生じても、記憶させるべきデータの記憶完了まで、ＣＰＵ４１等を動作させることができる。
【００８１】
又、上記の実施形態では、変換部としてＤＣ−ＤＣコンバータ６を例に挙げたが、例えば、変換部に３端子レギュレータを用いてもよい。この場合、変換部としての３端子レギュレータには、過電流保護回路６６を設ける。又、過電流発生を過電流保護回路６６が検知すれば、ＥＥＰＲＯＭ４４等、３端子レギュレータの出力電圧を受ける部品、素子へのラインを遮断するスイッチも設ける。言い換えると、ＤＣ−ＤＣコンバータ６を３端子レギュレータと過電流保護回路６６とスイッチからなる構成に置き換える。このように置き換えた場合でも、３端子レギュレータからＥＥＰＲＯＭ４４等への電力供給が停止したとき、累計印刷枚数等のデータを記憶させるまでの時間を稼ぐことができる。
【００８２】
又、上記の実施形態では、スイッチ制御部８を設ける例を示したが、スイッチ制御部８は、例えば、ＣＰＵ４１であってもよく、スイッチ制御部８に代えて、ＣＰＵ４１がスイッチ部７の制御を行うようにしても良い。言い換えると、ＣＰＵ４１をスイッチ制御部８として用いてもよい。
【００８３】
又、上記の実施形態では、シャットダウン時でも記憶させるべきデータの記憶させるメモリとしてＥＥＰＲＯＭ４４を例に挙げたが、記憶先としては、フラッシュＲＯＭ４７等、他のメモリでもよい。この場合、フラッシュＲＯＭ４７に対し、スイッチ部７、スイッチ制御部８、蓄電部５等を設ければよい。
【００８４】
以上、本発明の実施形態につき説明したが、本発明の範囲はこれに限定されるものではなく、発明の主旨を逸脱しない範囲で種々の変更を加えて実施することができる。
【産業上の利用可能性】
【００８５】
本発明は、装置内で直流電圧の変換を行う画像形成装置に利用可能である。
【符号の説明】
【００８６】
１００  複合機（画像形成装置）            ４      制御部（基板）
４１    ＣＰＵ（デバイスの一種）          ４３    ＡＳＩＣ（デバイスの一種）
４４    ＥＥＰＲＯＭ（デバイスの一種）    ４５    ＲＡＭ（デバイスの一種）
４６    ＨＤＤ（デバイスの一種）
４７    フラッシュＲＯＭ（デバイスの一種）
４９    電源部                            ５      蓄電部
６（６Ａ、６Ｂ、６Ｃ、６Ｄ、６Ｅ）    ＤＣ−ＤＣコンバータ（変換部）
６Ａ    ＤＣ−ＤＣコンバータ（ＥＥＰＲＯＭ４４用）
６Ｂ    ＤＣ−ＤＣコンバータ（ＣＰＵ４１用）
６Ｃ    ＤＣ−ＤＣコンバータ（ＡＳＩＣ４３用）
６Ｄ    ＤＣ−ＤＣコンバータ（ＲＡＭ４５用）
６Ｅ    ＤＣ−ＤＣコンバータ（フラッシュＲＯＭ４７用）
６６    過電流保護回路
７Ａ    スイッチ部（スイッチ部７、第１スイッチ部）
７Ｂ    スイッチ部（第２スイッチ部）  ８      スイッチ制御部
９      電圧変換回路                ９Ａ    電圧変換回路（ＥＥＰＲＯＭ４４用）
９Ｂ    電圧変換回路（ＣＰＵ４１用）
９Ｃ    電圧変換回路（ＡＳＩＣ４３用）
９Ｄ    電圧変換回路（ＲＡＭ４５用）
９Ｅ    電圧変換回路（フラッシュＲＯＭ４７用）
Ｍ      モータ                      Ｍ１ａ  給紙モータ（モータ）
Ｍ１ｂ  搬送モータ（モータ）        Ｍ２    メインモータ（モータ）
Ｍ３ａ  駆動モータ（モータ）        Ｍ３ｂ  定着モータ（モータ）
【図１】
0005371895.tif 000002
【図２】
0005371895.tif 000003
【図３】
0005371895.tif 000004
【図４】
0005371895.tif 000005
【図５】
0005371895.tif 000006
【図６】
0005371895.tif 000007
【図７】
0005371895.tif 000008
【図８】
0005371895.tif 000009